(57)【要約】【課題】この発明は水槽蓋を有する脱水槽を外箱に対して揺動不能に梱包することができる洗濯機の梱包装置を提供することにある。【解決手段】上面に洗濯蓋に５よって開閉される第１の投入口４が形成された外箱２と、第１の投入口の周囲に設けられた第１の環状壁１８と、外箱内に揺動可能に支持され水槽蓋１３によって開閉される第２の投入口１２が形成された脱水槽６と、脱水槽の上面に第１の環状壁の外周面を囲んで設けられた第２の環状壁１９と、脱水槽内に設けられた洗濯槽１４とを備えた洗濯機の梱包装置であって、幅寸法が第２の環状壁の内径寸法とほぼ同じに設定されるとともに幅方向中央部から山形状に折り曲げ可能な板状の基部３３と、幅寸法が第１の環状壁の内径寸法とほぼ同じに設定され基部の上面に積層されるとともに基部とともに幅方向中央部から山形状に折り曲げ可能な板状の係止部３７，３８とを具備する。【選択図】　　図４
2004049402.tif 000002
【特許請求の範囲】
【請求項１】
上面に洗濯蓋によって開閉される第１の投入口が形成された外箱と、上記第１の投入口の周囲に上記外箱の内方向かって設けられた第１の環状壁と、上記外箱内に揺動可能に支持されるとともに上面に水槽蓋によって開閉される第２の投入口が形成された脱水槽と、この脱水槽の上面に上記第１の環状壁の外周面を囲んで設けられた第２の環状壁と、上記脱水槽内に設けられ駆動源によって回転駆動される洗濯槽とを備えた洗濯機の梱包装置において、
幅寸法の少なくとも一部が上記第２の環状壁の内径寸法とほぼ同じに設定されるとともに幅方向中央部から山形状に折り曲げ可能な板状の基部と、幅寸法の少なくとも一部が上記第１の環状壁の内径寸法とほぼ同じに設定され上記基部の上面に積層されるとともに上記基部とともに幅方向中央部から山形状に折り曲げ可能な板状の係止部とを具備したことを特徴とする洗濯機の梱包装置。
【請求項２】
上記基部は、上記係止部とともに山形状に折り曲げて幅方向両端部を上記水槽蓋の上面と上記第１の環状壁の下端との隙間を通して上記第２の環状壁の内周面に係合させて上記水槽蓋の上面に設けられ、上記係止部は上記第１の環状壁の内周面に幅方向両端部を係合させて設けられることを特徴とする請求項１記載の洗濯機の梱包装置。
【請求項３】
１枚の紙板材によって上記基部と、この基部の幅方向と交差する方向の一端と他端との少なくとも一方に上記基部の上面に積層可能に折り曲げられる係止部とが一体形成されていることを特徴とする請求項１記載の洗濯機の梱包装置。
【請求項４】
上記係止部には係合孔が設けられ、上記基部には上記係止部を上記基部に積層させたときに、上記係合孔に係合して上記係止部を保持する切起し片が形成されていることを特徴とする請求項３記載の洗濯機の梱包装置。
【発明の詳細な説明】
【０００１】
【発明の属する技術分野】
この発明は外箱内に揺動可能に設けられた脱水槽を梱包するための洗濯機の梱包装置に関する。
【０００２】
【従来の技術】
脱水機構を備えた洗濯機は外箱を有し、この外箱内に脱水槽が吊り棒によって揺動可能に設けられている。上記脱水槽内には洗濯槽が設けられ、この洗濯槽は駆動源によって回転駆動されるようになっている。
【０００３】
上記外箱の上面には第１の投入口が開口形成され、この第１の投入口は洗濯蓋によって開閉されるようになっている。上記脱水槽の上面には水槽カバーが設けられ、この水槽カバーには第２の投入口が開口形成されている。
【０００４】
したがって、上記洗濯蓋を開け、第１の投入口及び第２の投入口を介して洗濯槽内に洗濯物を投入することで、この洗濯物を洗濯できる構造になっている。最近では、脱水機能をだけでなく、乾燥機能を備えた洗濯機が販売されている。乾燥機能を備えた洗濯機の場合、乾燥時における熱が脱水槽から逃げるのを防止するため、この脱水槽の上面に形成された第２の投入口を水槽蓋によって開閉できるようにしている。
【０００５】
このような構成の洗濯機を工場から出荷する際、洗濯機全体を梱包箱に入れて梱包するようにしている。しかしながら、単に洗濯機を梱包するだけでは、運搬時に外箱内に揺動可能に設けられた脱水槽が揺れ動き、この脱水槽が周囲に設けられた種々の部品にぶつかり、打痕が付く虞があるため、上記脱水槽を運搬時に揺れ動かないよう梱包する必要がある。
【０００６】
従来、乾燥機能のない洗濯機は脱水槽の上面の第２の投入口に水槽蓋が設けられていなので、発泡スチロールによって上記第１の投入口と上記第２の投入口とにそれぞれ嵌合する第１、第２の円柱部が一体成形された梱包材によって上記脱水槽を上記外箱に対して揺動不能に梱包保持していた。
【０００７】
【発明が解決しようとする課題】
しかしながら、上述したように上記脱水槽の第２の投入口に水槽蓋が設けられた構造の洗濯機では、梱包材の一部を上記第２の投入口に嵌合させることができないため、上記脱水槽が外箱に対して揺動しないよう梱包することが困難になるということが生じる。
【０００８】
この発明は、脱水槽に形成された投入口に水槽蓋が開閉可能に設けられている場合に、上記脱水槽を上記外箱に対して揺動不能に梱包することができるようにした洗濯機の梱包装置を提供することにある。
【０００９】
【課題を解決するための手段】
請求項１の発明は、上面に洗濯蓋によって開閉される第１の投入口が形成された外箱と、上記第１の投入口の周囲に上記外箱の内方向かって設けられた第１の環状壁と、上記外箱内に揺動可能に支持されるとともに上面に水槽蓋によって開閉される第２の投入口が形成された脱水槽と、この脱水槽の上面に上記第１の環状壁の外周面を囲んで設けられた第２の環状壁と、上記脱水槽内に設けられ駆動源によって回転駆動される洗濯槽とを備えた洗濯機の梱包装置において、
幅寸法の少なくとも一部が上記第２の環状壁の内径寸法とほぼ同じに設定されるとともに幅方向中央部から山形状に折り曲げ可能な板状の基部と、幅寸法の少なくとも一部が上記第１の環状壁の内径寸法とほぼ同じに設定され上記基部の上面に積層されるとともに上記基部とともに幅方向中央部から山形状に折り曲げ可能な板状の係止部とを具備したことを特徴とする洗濯機の梱包装置にある。
【００１０】
請求項２の発明は、上記基部は、上記係止部とともに山形状に折り曲げて幅方向両端部を上記水槽蓋の上面と上記第１の環状壁の下端との隙間を通して上記第２の環状壁の内周面に係合させて上記水槽蓋の上面に設けられ、上記係止部は上記第１の環状壁の内周面に幅方向両端部を係合させて設けられることを特徴とする請求項１記載の洗濯機の梱包装置にある。
【００１１】
請求項３の発明は、１枚の紙板材によって上記基部と、この基部の幅方向と交差する方向の一端と他端との少なくとも一方に上記基部の上面に積層可能に折り曲げられる係止部とが一体形成されていることを特徴とする請求項１記載の洗濯機の梱包装置にある。
【００１２】
請求項４の発明は、上記係止部には係合孔が設けられ、上記基部には上記係止部を上記基部に積層させたときに、上記係合孔に係合して上記係止部を保持する切起し片が形成されていることを特徴とする請求項３記載の洗濯機の梱包装置にある。
【００１３】
この発明によれば、梱包装置の基部が第２の環状壁を介して脱水槽を係合保持し、係止部が第１の環状壁を介して外箱に係合するから、上記脱水槽が上記外箱に揺動不能に保持されることになる。
【００１４】
【発明の実施の形態】
以下、図面を参照しながらこの発明の実施の形態を説明する。
【００１５】
図１乃至図８はこの発明の第１の実施の形態であって、図１（ａ），（ｂ）はこの発明の乾燥機能を備えた洗濯機１を示す。この洗濯機１は外箱２を有し、この外箱２の上端にはトップカバー３が一体的に設けられている。このトップカバー３には第１の投入口４が形成され、この第１の投入口４は２つに折り曲げ可能な洗濯蓋５によって開閉されるようになっている。
【００１６】
上記外箱２内には図３と図４に示すように脱水槽６が収容されている。図５に示すように外箱２の四隅部にはそれぞれ吊り棒７の上端が連結されている。各吊り棒７の下端は、上記外箱２の下端部外面に設けられたダンパ８に連結されている。それによって、脱水槽６は上記外箱２内に揺動可能に弾性的に保持されている。
【００１７】
上記脱水槽６の上面には水槽カバー１１が設けられている。この水槽カバー１１には第２の投入口１２が上記第１の投入口４と対応する位置に形成されている。この第１の投入口４は水槽蓋１３によって開閉されるようになっている。
【００１８】
上記脱水槽６の内部には上面が開口した洗濯槽１４が収容されている。この洗濯槽１４の上端部内周面にはバランスリング１５が設けられ、底部の中心部には駆動源としての駆動モータ１６の回転軸１７に連結されている。それによって、上記洗濯槽１４が上記駆動モータ１６によって回転駆動されるようになっている。
【００１９】
上記トップカバー３の内面には上記第１の投入口４の周囲を覆う第１の環状壁１８が設けられている。上記水槽カバー１１の上面には、上端部が上記第１の環状壁１４の外周面を覆う第２の環状壁１９が設けられている。
【００２０】
上記第１の環状壁１８の外周面と、上記第２の環状壁１９の内周面とはわずかな間隔で対向している。それによって、第１の投入口４、第２の投入口１２から洗濯槽１４に投入される洗濯物が上記脱水槽６の外側に入り込んだり、作業者が手を上記脱水槽６の外側に入れるなどのことが防止される。
【００２１】
上記構成の洗濯機１は梱包箱２１に収容される。この梱包箱２１は上記洗濯機１が載置される底クッション２２を有する底板部２３と、上記洗濯機１の底部を除く部分を覆う箱部２４とからなり、箱部２４の上部内面と洗濯機１のトップカバー３との間には上部クッション２５が設けられる。
【００２２】
上記洗濯機１の外箱２内に揺動可能に設けられた脱水槽６はこの発明の梱包装置３１によって揺動不能に梱包される。梱包装置３１は板状部材、この実施の形態では紙板材としてのダンボールによって形成されている。
【００２３】
すなわち、梱包装置３１は図６に示すようにダンボールからなる基材３２を有する。この基材３２の長手方向中央部には基部３３が形成されている。この基部３３は幅方向の両側は円弧状の曲線状になっていて、その最大幅寸法Ｗ１　は上記水槽カバー１１の上面に設けられた第２の環状壁１９の内径寸法とほぼ同じに設定されている。
【００２４】
上記基部３３の幅方向中央部には、この基部３３を山形上に折り曲げ可能とする第１の折り曲げ線３４が幅方向と交差する方向全長にわたって形成されている。この第１の折り曲げ線３４は基材３２がダンボールの場合、このダンボールの上面から厚さ方向約半分に切込みを入れることで形成される。それによって、基部３３は、その上面側に凸の山形状に折り曲げることが可能となる。
【００２５】
上記基部３３には、上記折り曲げ線３４を挟んで左右両側にそれぞれ２つの台形状の切起し片３５が形成されている。この切起し片３５は、一辺を除く三辺が切断線３６により基部３３からほぼ台形状に切断されており、残りの一辺を折り曲げることで、ほぼ逆台形状に起立させることができるようになっている。
【００２６】
上記基部３３の幅方向と交差する方向の一端には第１の係止部３７が連設され、他端には第２の係止部３８が連設されている。第１の係止部３７は、上記基部３３の一端に第２の折り曲げ線３９によって基部３３の上面側に折り曲げ可能に設けられた第１の係止片４１と、第３の折り曲げ線４２によって第１の係止片４１の下面側に折り曲げ可能に設けられた第２の係止片４３を有する。
【００２７】
上記第１、第２の係止片４１、４３は、幅寸法Ｗ２　が上記トップカバー３の内面に設けられた第１の環状壁１８の内径寸法とほぼ同じに設定され、幅方向中央部には第１、第２の係止片４１、４３を左右に分離する切断線４０が設けられている。左右に分離された各一対の第１、第２の係止片４１、４３には、切断線４０を中心にして対称に上記切起し片３５とほぼ同じ台形状の係合孔４４が形成されている。
【００２８】
上記第２の係止片４３の自由端側には凹部４５が形成され、上記基部３３と第１の係止片４１とを第２の折り曲げ線３９によって連結した部分には矩形状の透孔４６が形成されている。
【００２９】
上記第２の係止部３８は、上記基部３３の他端に第４の折り曲げ線４７によって基部３３の上面側に折り曲げ可能に設けられた第３の係止片４８と、第５の折り曲げ線４９によって第３の係止片４８の下面側に折り曲げ可能に設けられた第４の係止片５１を有する。
【００３０】
第３、第４の係止片４８、５１の幅方向両側は円弧状の曲線状をなしていて、その最大幅寸法Ｗ３　は記トップカバー３の内面に設けられた第１の環状壁１８の内径寸法とほぼ同じに設定されている。
【００３１】
上記第３、第４の係止片４８、５１は、幅方向中央部に設けられた切断線５２によって左右に分断されており、この切断線５２を中心して左右対称にそれぞれ一対の係合孔５３が形成されている。
【００３２】
基部３３と第３の係止片４８とを第４の折り曲げ線４７によって折り曲げ可能に連結した部分には透孔５４が形成され、第４の係止片５１の自由端には凹部５５が形成されている。
【００３３】
なお、上記第１乃至第４の係止片４１，４３，４８，５１の幅方向と交差する前後方向の寸法は、上記基部３３の前後方向の寸法の約半分に設定されている。
【００３４】
上記構成の基材３２は、図７に示すように第１の係止部３７の第１、第２の係止片４１，４３と、第２の係止部３８の第３、第４の係止片４８、５１を基部３３の上面側に屏風状に折り曲げて積層し、図８（ａ）に示すように基部３３に設けられた４つの切起し片３５を起立させて各係止片に形成された係合孔４４、５３に係合させる。それによって、基部３３の上面にそれぞれ屏風状に積層された第１、第２の係止片４１，４３及び第３、第４の係止片４８、５１をそれぞれ積層状態で保持することができる。
【００３５】
基部３３の上面に第１、第２の係止部３７、３８を積層保持したならば、図８（ｂ）に示すように基部３３及び第１、第２の係止部３３７，３８を幅方向中央から上面側に凸の山形状に折り曲げる。つまり、基部３３の幅寸法Ｗ１　がトップカバー３の内面に設けられた第１の環状壁１８の内径寸法よりも小さくなるよう折り曲げる。
【００３６】
つぎに、図２に示すように外箱２の洗濯蓋５を開けた状態で、山形状に折り曲げられた基材３２を第１の投入口４内に入れる。山形状に折り曲げられた基材３２の基部３３は第１の環状壁１８内を通過し、水槽蓋１３の上面に当接する。その状態で山形状から水平状態に戻して水槽蓋１３の上面に基部３３の下面を接合させれば、図４に示すように基部３３の幅方向両端が第２の環状壁１９の内周面に係合し、基部３３の上面に積層保持された第１、第２の係止部３７、３８の各係止片の幅方向両端が第１の環状壁１８の内周面に係合する。
【００３７】
それによって、脱水槽６は、第２の環状壁１９に係合した基部３３及び第１の環状壁１８に係合した第１、第２の係止部３７、３８を介して外箱３に保持されることになる。そのため、洗濯機１を梱包箱２１内に収容して運搬しても、脱水槽６が外箱３内で揺れ動くのが防止されるから、この脱水槽６が運搬中に周囲の部品にぶつかり、打痕が付くのを防止できる。
【００３８】
すなわち、乾燥機能を備えた洗濯機１では、洗濯機１に乾燥機能を備えることで、脱水槽６の上面に形成された第２の投入口１２に水槽蓋１３が設けられる。しかも、洗濯物などが脱水槽６の外側に入り込むのを防止する等の安全対策として、トップカバー３には第１の環状壁１８が設けられ、水槽カバー１には第２の環状壁１９が設けられている。
【００３９】
そのため、上記脱水槽６を外箱２に対して揺動不能に梱包し難いが、この発明の梱包装置によれば、屏風状に折り曲げられた基材３２の基部３３と第１、第２の係止部３７，３８を、上記第１、第２の環状壁１８、１９にそれぞれ係合させて設けるようにしたから、上記脱水槽６を外箱２に対して揺動不能に梱包することができる。
【００４０】
図９と図１０はこの発明の第２の実施の形態を示す。この実施の形態は、幅方向中央に第１の折り曲げ線３４が設けられた基部３３の、幅方向と交差する前後方向の中央部に、幅方向全長にわたって第６の折り曲げ線６１を設けるようにした。この第６の折り曲げ線６１は、基部３３を上面側に凸に折り曲げることができるよう、基部３３の上面側から厚さ方向約半分の深さで切り込まれた、切込み線からなる。
【００４１】
このような構成によれば、図１０（ｂ）に示すように基部３３を第６の折り曲げ線に沿って前後方向にも折り曲げることができるから、図１０（ａ）に示すように基部３３の上面に第１の係止部３７と第２の係止部３８とを短冊状に折り曲げて積層保持した後、洗濯機２内に組み込む際の自由度が向上するため、組み込み易くなる。
【００４２】
図１１はこの発明の第３の実施の形態である。この実施の形態は、基部３３の幅方向と交差する前後方向の一端に設けられる第１の係止部３７Ａを、基部３３の上面に順次折り曲げて積層することができる第１乃至第３の３つの係止片６２ａ〜６２ｃによって形成した。
【００４３】
上記基部３３の前後方向の他端に設けられる第２の係止部３８Ａは、第１の係止部３７Ａと同様、基部３３の上面に積層可能に折り曲げることができる第４乃至第６の３つの係止片６３ａ〜６３ｃによって形成した。
【００４４】
上記第１の係止片６２ａの幅寸法は、基部３３の幅寸法とほぼ同じに設定され、第２、第３の係止片６２ｂ、６２ｃの幅寸法は第１の環状壁１８の内径寸法とほぼ同じに設定されている。
【００４５】
上記第４の係止片６３ａの幅寸法は、基部３３の幅寸法とほぼ同じに設定され、第５、第６の係止片６３ｂ、６３ｃの幅寸法は第１の環状壁１８の内径寸法とほぼ同じに設定されている。
【００４６】
それによって、第１の環状壁１８の内周面に係合する各係止片６２ｃ、６２及び６３ｂ、６３ｃの基部３３上面からの高さを高くすることができる。つまり、洗濯機１の機種などに応じて水槽蓋１３の上面から第１の環状壁１８の下端までの高さが第１の実施の形態に比べて高くても、各係止片６２ｃ、６２及び６３ｂ、６３ｃを第１の環状壁１８の内周面に確実に係合させることができる。
【００４７】
なお、基部３３の一端と他端とにそれぞれ３つの係止片を設けることで、それぞれ第７の折り曲げ線６４と第８の折り曲げ線６５とが追加されている。それによって、各係止部３７Ａ，３８Ａの３つの係止片６２ａ〜６２ｃ，６３ａ〜６３ｃをそれぞれ折り曲げ、基部３３の上面に積層することができる。また、第２の係止部３８Ａの第５係止片６３ｂと第６の係止片６３ｃとの境界部分にも透孔５４ａが形成されている。
【００４８】
この第３の実施の形態において、図６に示す第１の実施の形態の梱包装置３１と同一部分には同一記号を付して説明を省略する。
【００４９】
図１２はこの発明の第４の実施の形態でこの実施の形態は上記第３の実施の形態とほぼ同じであるが、基部３３の前後方向中央に、幅方向に沿う第９の折り曲げ線６６が形成されているという点で相違している。
【００５０】
基部３３に第７の折り曲げ線６４を設ければ、基部３３を幅方向と交差する方向にも折り曲げることができる。したがって、第２の実施の形態と同様、洗濯機２の内部に装着する際の自由度が向上するから、組み込み易くなるという利点を有する。
【００５１】
この発明は上記各実施の形態に限られず、発明の主旨を逸脱しない範囲で種々変形可能である。
【００５２】
たとえば、上記各実施の形態では、基部の幅方向と交差する前後方向の一端と他端とにそれぞれ係止部を設けたが、どちらか一方の端部だけに係止部を設けるようにしてもよい。また、基部と係止部との幅方向両端の形状は円弧状や直線状に限られず、たとえば幅方向両端に凸部を設けるようにしてもよく、要は基部が第２の環状壁の内周面に係合保持され、係止部が第１の環状壁の内周面に係合保持されれば、その形状は限定されるものでない。
【００５３】
また、基部と係止部との幅寸法は、少なくとも一部が第２の環状壁及び第１の環状壁の内径寸法とほぼ同じに形成されていればよく、その場合、一部以外の部分の幅寸法は、各環状壁の内径寸法よりも小さくても差し支えない。
【００５４】
また、梱包装置は基部と係止部とを紙状部材で一体形成したが、別体に形成し、基部の上面に係止部を接着固定するようにしてもよい。
【００５５】
【発明の効果】
以上のようにこの発明よれば、梱包装置の基部が脱水槽に設けられた第２の環状壁を介してこの脱水槽を係合保持し、係止部が外箱に設けられた第１の環状壁を介して外箱に係合する。
【００５６】
そのため、脱水槽に形成された投入口が水槽蓋によって開閉される構成であっても、上記脱水槽を上記基部と係止部を介して外箱に揺動不能に保持することができるから、運搬中に脱水槽を傷付けるのを防止することができる。
【図面の簡単な説明】
【図１】この発明の第１の実施の形態を示す洗濯機の斜視図。
【図２】洗濯機に脱水槽を保持するための梱包装置を組み込むときの斜視図。
【図３】梱包箱及び梱包箱に収容された洗濯機の前後方向に沿う断面図。
【図４】梱包箱及び梱包箱に収容された洗濯機の前後方向と交差する方向に沿う断面図。
【図５】洗濯機の平面図。
【図６】梱包装置の基材の展開平面図。
【図７】基材の係止部を基部の上面に折り曲げた斜視図。
【図８】基部の上面に折り曲げて積層された係止部を切起し片によって保持した斜視図。
【図９】この発明の第２の実施の形態を示す基材の展開斜視図。
【図１０】基部の上面に係止部を積層した状態の斜視図。
【図１１】この発明の第３の実施の形態を示す基材の展開斜視図。
【図１２】この発明の第４の実施の形態を示す基材の展開斜視図。
【符号の説明】
２…外箱
４…第１の投入口
５…洗濯蓋
６…脱水槽
１２…第２の投入口
１３…水槽蓋
１４…洗濯槽
１６…モータ（駆動源）
１８…第１の環状壁
１９…第２の環状壁
３３…基部
３５…切起し片
３７…第１の係止部
３８…第２の係止部
４４…係合孔
【図１】
2004049402.tif 000003
【図２】
2004049402.tif 000004
【図３】
2004049402.tif 000005
【図４】
2004049402.tif 000006
【図５】
2004049402.tif 000007
【図６】
2004049402.tif 000008
【図７】
2004049402.tif 000009
【図８】
2004049402.tif 000010
【図９】
2004049402.tif 000011
【図１０】
2004049402.tif 000012
【図１１】
2004049402.tif 000013
【図１２】
2004049402.tif 000014